(57)【特許請求の範囲】
【請求項１】
複数基並列配設した本文折帖フィーダーから本文折帖を順次下方のプッシャプレートをもつ搬送手段上に積み重ね供給する行程、この積み重ねられた本文折帖群の背側を上方からステッチャーにより中綴じして正綴じ中綴じ本を得る行程、前記正綴じにより中綴本の背側内面に露出した綴針を一枚構造の折帖にて隠蔽する行程とからなる中綴本の製本方法において、前記隠蔽する行程が前記搬送手段の中途部に配設した上昇ガイド手段にそって上方に誘導搬送させて、正綴じ中綴本と搬送手段との間に空間部を形成させ、この空間部に別の折帖フィーダーから正綴じ中綴本の運行と逆方向に搬送されながら中央部に折目が付され、かつ折目部上面に糊料を付した前記一枚構造の折帖をもぐり込ませて前記空間部位の搬送手段に供給させ、この空間部に供給された折帖及び前記上昇ガイド手段上の正綴じ中綴本を搬送手段のプッシャープレートにより同時に搬送させ、前記上昇ガイド手段を過ぎた正綴じ中綴本を搬送手段上の折帖の上に落下乗載させ、正綴じ中綴本の背側内面と折帖の背側とを接着し、正綴じ中綴本の背側内面に露出せる綴針を折帖にて隠蔽することを特徴とする中綴本の製本方法。
【請求項２】
機枠に、適当間隔毎にプッシャープレートを設けた平行２条の搬送チェン機構を水平に架設し、該搬送チェン機構の上流側上部に複数基の本文折帖フィーダーを配設するとともに、この本文折帖フィーダーの下流側に本文折帖群の背側を正綴じするステッチャーを配設せしめ、  正綴じにより中綴本の背側内面に露出した綴針を一枚構造の折帖にて隠蔽する中綴本の製本装置において、前記隠蔽構造は、前記ステッチャーの下流側所要部位に正綴じ中綴本を上方に誘導し、搬送チェン機構との間に前記一枚構造の折帖をもぐり込ませる空間部を形成する上昇ガイド手段を設け、一方、搬送チェン機構の上方に前記一枚構造の折帖を搬送チェン機構の搬送方向と逆方向に供給する折帖フィーダーを設けるとともに、この折帖フィーダーの下流側に隣接して折帖の中心部に折目を付設する手段、前記空間部に折帖を誘導搬送し、前記搬送チェン機構に供給する搬送手段及び折帖の背側に糊料を吹きつけ付設する糊料吹きつけ手段を順に設けたことを特徴とする中綴本の製本装置。
【発明の詳細な説明】
【０００１】
【発明の属する技術分野】
本発明は、安全性が高く損傷の少ない中綴本の製本方法及び中綴本の改善に関する。
【０００２】
【発明の技術的背景】
例えば、文部省が貸与する小学生用教本のうち、中綴された教本は綴針の屈曲両端が教本の内部にそのまま露出されているため、子供らが悪戯してこの綴針の屈曲端を曲げ起し、綴針を引き抜いて本をバラバラにしたり、あるいは、悪戯している最中に指先を怪我したりする危険性があることから、文部省では近年この種小学生用教本の中綴手段は、本の内側から外側に向けて中綴するよう指示している。しかしながらこの種の中綴本は衆知のように、本文折帖フィーダー，表紙折帖フィーダー，これらに対応する２本平行した各折帖の搬送チェン機構，ステッチャー機構により中綴し、三方断裁機にて断裁して製本とするものであるが、従来装置を使用し、かつ、従来のように折られた折帖そのままでは、文部省が指示するような逆中綴教本が得られないため、現在教科書メーカーでは、折帖を従来のものとは逆に表紙折帖フィーダーによって先ず表紙となる折帖を搬送チエーン機構に最初に丁合かけし、この上に順次本文折帖を丁合かけしたのち、従来の綴じ方と同じ手段でステッチャー機構により中綴じし、この中綴教本全体を再び逆方向に折り曲げ、表面に現れた綴針の屈曲端を覆うように本の背全長に亘りクロス張り機にてクロス張りしてから三方断裁を行って逆中綴教本を得ていた。
しかしながら、折帖自体は機械的に折られるためその折目は強力、かつ、鋭いものであり、このような折目のある折帖が数多く積み重ねられて得られた中綴本を再び折目から逆に折ることは至難の業であり、最初の折目にそって完全に反転させることは不可能なことであることから、得られた本を開くと隣り合う頁同志の絵などが不一致になったり、あるいは、ズレが生じて他頁の不要部分が露出したりするなどの不都合が多く、特に地図などの場合、隣り合う頁同志の線の不一致により学習に供し得ないようなこともあるなど重大な欠点があり、加えて工程の増加からコストアップされるという課題が伴った。
【０００３】
このような課題に対応して、山形をした案内板上を運行される折帖群の下側から、外周に螺子溝をもつ中空針を上向きに刺通するとともに、中空針から吐出される液状接着剤を刺通孔部に浸透させることにより、綴針を使用せずに中綴しようとする手段が、実公昭４７−２９４４５号公報に示されている。この装置により得られた中綴本は、綴針などが露出せず絵などがこの綴針によって損なわれないこと、および、綴針を使用しないことにより安全、かつ、安価であることは認められるが、中空針に螺子溝が設けてあるため、この中空針が回転しながら抜去される際、折帖に内向きのササクレが生じ絵など審美性を損なうことは綴針を使用したものより影響が大きく、また、液状接着剤が乾燥しないうちに三方断裁によって仕上げ裁断を行なうこと、中折部の頁同志が接着され、開本時に当該頁が損傷されるという不都合があるし、また、装置も大がかりとなり、全体的に本がコスト高となるという問題点もある。
【０００４】
更にまた、中綴機を用いた中綴本の製本装置は、順次積み重ねられた折帖群の上側に、最終的に表紙となる折帖を重ねたのち、ステッチャー機構により中綴じし製本していたものである。この種のものは、表紙の背側に綴針が現れることから体裁が悪い。しかしながら、近年、表紙を中綴機にて他の折帖と同時に中綴じすることなく、あとで表紙のみを糊で接着する中綴本がみられるが、この種のものは、中綴機で製本された表紙のない本に対し他の機械によって表紙を糊料で接着していたもので、この種のものは製本作業か少なくとも２ツに分かれることから製本効率が悪いばかりでなく、高価な製本機械設備が別に要求されるなど経済的な不都合があった。
【０００５】
【従来技術とその課題】
以上述べたような課題を解する手段として実公昭６３−５９００号公報に示される逆中綴装置及び実公平３−２９１６９号公報に示す表紙を中綴じ後糊付け製本し綴針が表面に現れないようにした中綴製本装置が本件出願人から提案されている。前者の逆中綴装置は、折掛機（フィーダー）から山形をした案内板上に順次供給される本文折帖、および、表紙折帖を、２本平行した搬送チェン機構により順次丁合かけしながら運行し、該搬送チェン機構ライン途上に設けられ、かつ、このラインにそって所要ストローク往復移動するステッチャー機構により中綴する装置において、前記ステッチャー機構を構成し、かつ、折帖群を下から中綴する打針部材を前記案内板の下側に、この打針部材に対応する綴針のつぶし部材を案内板の上側に配設したものである。
【０００６】
この前者の逆中綴装置により得られた中綴本は、表紙の背側表面に綴針の屈曲両端がそのまま露出されているため、中綴本の内部からの折帖のバラケは防止しうるが、表面に現れている綴針の屈曲両端は子供らにとって悪戯し易い状態にあり、むしろ本をバラバラにしたり、悪戯している最中に指先を怪我したりする危険性は増巾されるという課題は以前として残されている。
【０００７】
一方後者の中綴本装置の構成は、機枠に対し水平に横架され、かつ、等間隔毎に跨架された折帖の後端縁上部両側に係合してこれを運行するプッシャープレートを設けた無端鎖の上手側上方に所要数の折帖フィーダーを配設し、更に、この折帖フィーダー群の下手側にステッチャー機構を間歇昇降自在に配設するとともに、このステッチャー機構の下手側に、移動中の重積された折帖の表面背側に接して糊料を全長にわたって塗布する上下動可能に弾装された塗布部材を有する糊付装置を設け、更に、該糊付装置の下手側に、表紙折帖を供給する表紙折帖フィーダーを配設するとともに、この表紙折帖フィーダーの下手側に、表紙折帖の背側を表面から押圧する上下動可能に弾装されたＶ断面をもつ押圧ローラーを配設したものである。
【０００８】
この後者の装置により得られた中綴本は、背側の表面に現れる綴針が表紙によって隠蔽され高級感のある中綴本が得られるという利点があるが、綴針の屈曲両端が内部にそのまま露出されているため、子供らの悪戯により本のバラケや指先を怪我する危険性の解消には至っていない。更に、この装置における糊の付着手段は接触型であるため、重積折帖群の肉厚変化に対応させる手段に煩雑性があり、また折帖の表面全長にわたって糊料を塗布することから、後工程である三方裁断により中綴本の天地を断裁調整するときに糊料がカッターに付着してカッターの切れ味を損ない、カッターの清掃を含め機械全体の作業中断が余儀なくされ、製本効率を阻害するなどの不都合がある。
【０００９】
本発明の目的は、簡易な手段で子供らの悪戯による中綴本の損傷及び綴針による怪我の発生を合理的に防止するとともに、製本効率の更なる向上が図れる製本方法を提供することにある。
【００１０】
【課題を解決するための手段】
上記目的は、請求項１のように、複数基並列配設した本文折帖フィーダーから本文折帖を順次下方のプッシャプレートをもつ搬送手段上に積み重ね供給する行程、この積み重ねられた本文折帖群の背側を上方からステッチャーにより中綴じして正綴じ中綴じ本を得る行程、前記正綴じにより中綴本の背側内面に露出した綴針を一枚構造の折帖にて隠蔽する行程とからなる中綴本の製本方法において、前記隠蔽する行程が前記搬送手段の中途部に配設した上昇ガイド手段にそって上方に誘導搬送させて、正綴じ中綴本と搬送手段との間に空間部を形成させ、この空間部に別の折帖フィーダーから正綴じ中綴本の運行と逆方向に搬送されながら中央部に折目が付され、かつ折目部上面に糊料を付した前記一枚構造の折帖をもぐり込ませて前記空間部位の搬送手段に供給させ、この空間部に供給された折帖及び前記上昇ガイド手段上の正綴じ中綴本を搬送手段のプッシャープレートにより同時に搬送させ、前記上昇ガイド手段を過ぎた正綴じ中綴本を搬送手段上の折帖の上に落下乗載させ、正綴じ中綴本の背側内面と折帖の背側とを接着し、正綴じ中綴本の背側内面に露出せる綴針を折帖にて隠蔽することにより達成される。
上記目的は、請求項２のように、機枠に、適当間隔毎にプッシャープレートを設けた平行２条の搬送チェン機構を水平に架設し、該搬送チェン機構の上流側上部に複数基の本文折帖フィーダーを配設するとともに、この本文折帖フィーダーの下流側に本文折帖群の背側を正綴じするステッチャーを配設せしめ、  正綴じにより中綴本の背側内面に露出した綴針を一枚構造の折帖にて隠蔽する中綴本の製本装置において、前記隠蔽構造は、前記ステッチャーの下流側所要部位に正綴じ中綴本を上方に誘導し、搬送チェン機構との間に前記一枚構造の折帖をもぐり込ませる空間部を形成する上昇ガイド手段を設け、一方、搬送チェン機構の上方に前記一枚構造の折帖を搬送チェン機構の搬送方向と逆方向に供給する折帖フィーダーを設けるとともに、この折帖フィーダーの下流側に隣接して折帖の中心部に折目を付設する手段、前記空間部に折帖を誘導搬送し、前記搬送チェン機構に供給する搬送手段及び折帖の背側に糊料を吹きつけ付設する糊料吹きつけ手段を順に設けたことにより達成される。
【００１１】
【発明の実施の形態】
図面について本発明中綴本の製本方法の実施に当たり使用する装置の構成について説明する。
図１は製本方法を実施するに当たり使用する装置の説明図、図２は本文折帖の搬送手段を示す正面図、図３は折帖の中央部に折目を付設する機構の一部フィーダー切欠正面図、図４は折帖の搬送手段を示す正面図、図５は中綴本の分解斜視図である。
【００１２】
図５に示すＡは本文折帖群１の表面に表紙２が一緒に綴じられた正綴じ中綴本である。４は一枚構造で２ツ折され、かつ、背側に糊料が吹き付けられた折帖で、この折帖４の背側を正綴じ中綴本Ａの背側内面に接着することにより、綴針３が折帖４によって隠蔽された中綴本Ａが得られる。その結果、子供らが綴針３を容易に悪戯することができないようにし、又悪戯によって指先を怪我したりすることが防止しうるものである。
【００１３】
次に、図１〜図４について本発明の中綴本Ａを得る装置、この装置を用いた製本方法の詳細を説明する。
１１は、機枠（図示略）に軸架した平行２条の搬送チェン機構で、該搬送機構チェン機構１１には所定の間隔毎に前記本文折帖群１及び表紙２の後端縁両側部に当接してこれを所定の搬送速度で運行するプッシャープレート１２が設けてある。又前記搬送チェン機構１１の上手側上方には、前述した正綴じ中綴本ａを製本するに必要な複数基の本文折帖フィーダー１３が並列配設されており、夫々の本文折帖フィーダー１３から順次供給された所要数の本文折帖１と表紙２が図のように積み重ねられ、搬送チェン機構１１とこれに設けたプッシャープレート１２により下手側に搬送されるように構成してある。
一方、前記最下流側の本文折帖フィーダー１３を過ぎた部位の上方に、搬送チェン機構１１と同じ速度で同方向に一定のストローク往復移動し、丁合された前記本文折帖１群と表紙２の背部を上側から中綴じして正綴じ中綴本ａを構成する２個一組の打針部材１４ａが下向きに配設されるとともに、この打針部材１４ａに対応して往復移動される綴針３のつぶし部材１４ｂが本文折帖１群を介して下方に対向的に設けてあり、この打針部材１４ａと綴針３のつぶし部材１４ｂとによって正綴じステッチャー１４が構成されている。図中１５は綴針３となる鋼線ボビン、１６は駆動モータであって、上述のような構成によって正綴じ中綴本ａの製本ラインＢを構成するものである。
【００１４】
前記ステッチャー１４の下流側に、図１のように前記正綴じ中綴本Ａ（本図ではａと表示してある。）の背側内面が摺接してこの正綴じ中綴本ａを搬送チエン機構１１の上方に誘導搬送し、正綴じ中綴本ａと搬送チェン機構１１との間に折帖４をもぐり込ませる空間部１７を形成するための上昇ガイドレール１８を設けたものである。図中１９は正綴じ中綴本ａの両裾部を外側方に開かせるためのガイドである。
【００１５】
前記製本ラインＢの下流側上方に、搬送チェン機構１１の搬送方向と逆方向に一枚構造の折帖４を供給する折帖フィーダー２０を設け、この折帖フィーダー２０の上流側に隣接して折帖４の中心部に折目５を付設する折目付け機構Ｃ，前記空間部１７に折帖４を誘導搬送し、前記搬送チェン機構１１部に供給する搬送端を下向きに形成した搬送ベルト２１及び折帖４の背側に糊料を吹き付け付設する糊料ノズル２２を順に設け、背側に糊料が吹き付けられた折帖４を空間部１７に供給し、この折帖４と前記上昇ガイドレール１８上の正綴じ中綴本ａを搬送チェン機構１１のプッシャープレート１２にて一緒に下流側に搬送せしめ、上昇ガイドレール１８を過ぎた正綴じ中綴本ａを搬送チェン機構１１上の折帖４の上に落下乗載するようにしたものである。次いで、正綴じ中綴本ａの背側を押圧ローラ（図示略）にて押圧し、正綴じ中綴本ａの背側内面に折帖４の背側を接着して綴針３を隠蔽せしめる。図中２３はＶ字形溝ローラ構造をした搬送ローラである。
【００１６】
次に、図３について折目付け機構Ｃの詳細を説明すると、２４は折帖４の中心部が折帖フィーダー２０から供給乗載される折目付設板であって、該折目付設板２４の左右に折帖４の両側端部を挟持し、案内する誘導部材２５が配設されている。一方、前記折目付設板２４に近接した左右側の上方には、折目付設板２４を折帖４を挟んで折目５を付設する作用板２６の上端が機枠（図示略）に軸支されており、この両作用板２６の軸２７端には互いに噛合するギア２８が設けられている。そして一方の軸２７端に長孔２９ａを形成したレバー２９の一端を固定し、該レバー２９の長孔２９ａにエアシリンダ３０のピン３１を挿嵌せしめたものである。図中３２は前記作用板２６の端部に付設したパッドである。折目付け機構Ｃは上述のように構成されている。
【００１７】
前記折目付け機構Ｃは次のように作動する。
前記折帖フィーダー２０から供給された折帖４はその両端部が誘導部材２５の作用で折目付設板２４上に送られる。このとき仮想線の水平姿勢にある作用板２６がエアシリンダ３０の矢印方向伸長作用によって実線で示す垂直姿勢に変化し、折帖４の中心部を折曲しながら折目付設板２４を挟着し、折帖４に強制的に折目５を付設する。そして、エアシリンダ３０の縮小作用によって折帖４を開放した状態で折帖４を誘導部材２５の搬送作用で図４に示すように搬送ベルト２１に移乗せしめ、搬送ローラ２３の搬送作用で背側に糊料を吹き付けながら空間部１７に送り込む。
【００１８】
【発明の効果】
上述のように本発明の構成によれば、次のような効果が得られる。
（ａ）正綴じ中綴本を正規の搬送ラインから上方に誘導し、この正綴じ中綴本と搬送ラインとの間に空間部を形成し、この空間部を利用して逆方向から一枚構造の背側に糊付けされた折帖をもぐり込ませ、両者を重ね合わせて接着することにより綴針が隠蔽された中綴本を製本することができる。
（ｂ）得られた中綴本は綴針が隠蔽されることから、子供らが綴針を悪戯し、本をバラバラに損傷したり、指先を怪我したりする事故を防止することができ、安全性の向上が図れる。
【図面の簡単な説明】
【図１】本発明方法を実施するための装置の説明図である。
【図２】本文折帖の搬送手段を示す正面図である。
【図３】折帖の中央部に折目を付設する機構の一部切欠正面図である。
【図４】折帖の搬送手段を示す正面図である。
【図５】中綴本の分解斜視図である。
【符号の説明】
Ａ  中綴本
Ｂ  製本ライン
Ｃ  折目付け機構
ａ  正綴じ中綴本
ｂ  折帖
１  折帖群
２  表紙
３  綴針
４  折帖
５  折目
１１  搬送チェン機構
１２  プッシャープレート
１３  本文折帖フィーダー
１４  ステッチャー機構
１４ａ  打針部材
１４ｂ  つぶし部材
１５  鋼線ボビン
１６  駆動モータ
１７  空間部
１８  上昇ガイドレール
１９  ガイド
２０  折帖フィーダー
２１  搬送ベルト
２２  糊料ノズル
２３  搬送ローラ
２４  折目付設板
２５  誘導部材
２６  作用板
２７  軸
２８  ギア
２９  レバー
２９ａ  長孔
３０  エアシリンダ
３１  ピン
３２  パッド
【図１】
0003606668.tif 000002
【図２】
0003606668.tif 000003
【図３】
0003606668.tif 000004
【図４】
0003606668.tif 000005
【図５】
0003606668.tif 000006